【事件の表示】
　特願２００２−１７７３６１「散布作業車」拒絶査定不服審判事件〔平成１５年　２月　４日出願公開、特開２００３−　３３６９１〕について、次のとおり審決する。
【結　論】
　本件審判の請求は、成り立たない。
【理　由】
第１．手続きの経緯・本願発明　
　本願は、平成３年４月１５日に出願した特願平３−８２４４８号を、平成１２年１月３１日にその一部を分割して新たな特許出願とした特願２０００−２２１３８号を、平成１４年６月１８日にその一部を分割して新たな特許出願とした特願２００２−１７７３６１号の特許出願であって、平成１５年４月３日付けで拒絶査定がなされ、これに対し、同年５月２８日に拒絶査定に対する審判請求がなされ、その後、当審において、平成１７年９月２日付けで拒絶理由が通知され、これに対し、同年１１月２８日付けで手続補正がなされたものであり、その請求項１に係る発明は、平成１７年１１月２８日付けで全文補正された明細書の記載からみて、その特許請求の範囲の請求項１に記載された次のとおりのものである。　
　【請求項１】車体後部に潅水用あるいは消毒用の液体を収容するタンク（２２）を搭載し、車体前部に複数の噴霧ノズル（３４，３４…）を有するセンター噴霧管（３５）を備え車体左右幅と同等あるいはそれよりやや広いセンター噴霧機枠（２７）、及び複数の噴霧ノズル（３４，３４…）を有するサイド噴霧管（４８，４８）を備え該サイド噴霧管（４８，４８）が上記センター噴霧管（３５）の左右両端部に略一直線状に延ばした幅広噴霧作業状態と車体側後方に近付けた幅狭収納状態とに切換可能に傾斜軸芯（４１）回りで回動可能なサイド噴霧機枠（３９，３９）を有する噴霧装置（２６）をリンク機構を介して昇降自在に支持した散布作業車において、操縦座席（６）を囲むように前記タンク（２２）を平面視コ字型に形成すると共に、操縦席部（６）の横側部には噴霧調節操作部（２１）を設け、操縦座席（６）前方のハンドル（７）の横側方であって前記噴霧調節操作部（２１）を有する側にサイド噴霧機枠（３９，３９）を回動すべく並べて設けられるスイッチ（ロ）（ハ）とリンク機構を昇降させるスイッチ（イ）を左右方向の同じ側に接近させて設け、これらのスイッチ（イ）（ロ）（ハ）と左右方向反対側に散布作業車の走行速度を変更する変速操作具を設けたことを特徴とする散布作業車。（以下、「本願発明」という）　
　　　
第２．当審の拒絶理由
　当審において平成１７年９月２日付けで通知した拒絶理由の概要は、本願発明は、実願昭６３−１４９７６２号（実開平２−７０７５７号）のマイクロフィルム及び特開平３−８００３８号公報並びに特開平２−２４６８３４号公報に記載された発明に基づいて当業者が容易に発明をすることができたものであるから、特許法第２９条第２項の規定により特許を受けることができない、というものである。
　
第３．刊行物に記載された発明　
　刊行物１：実願昭６３−１４９７６２号（実開平２−７０７５７号）の
　　　　　　マイクロフィルム  
　刊行物２：特開平３−８００３８号公報（平成３年４月４日公開） 
　刊行物３：特開平２−２４６８３４号公報  
　
　実願昭６３−１４９７６２号（実開平２−７０７５７号）のマイクロフィルム（以下、「引用刊行物１」という）の、　
　明細書第１０頁第１０行乃至第１９行には「自走散布車１０は、ステアリングホイール１２を備える運転席１４を中央部に有し・・・薬液タンク２0は、運転席1４の後ろ側に配設され、薬液を貯蔵する。薬液用開閉２１は、運転席１４の前側のステアリングホイール１２の下方に配設され、ノズル管３８ａ，３８ｂ，３８ｃへの薬液の供給量を制御する。」と、 
　明細書第１１頁第２行乃至第１２頁第３行には「第４図は自走散布車ｌ０の前部に装備されるブームを自走散布車ｌ０の前方から見た図である。センタブーム２６は左右方向へ水平に延び、右サイドブーム２８及び左サイドブーム３０は、基端部側の支点３２において揺動自在にセンタブーム２６の右端部及び左端部にそれぞれ配設される。油圧シリンダ３４は、右サイドブーム２８及び左サイドブーム３０に対応して設けられ、伸縮により右サイドブーム２８及び左サイドブーム３０を、Ｘ字状に交差する格納位置及び左右水平方向へ張り出す水平位置との間で揺動させる。・・・吐出管３６ａ，３６ｂ，３６ｃ及びノズル管３８ａ，３８ｂ，３８ｃは、センタブーム２６、右サイドブーム２８及び左サイドブーム３０の下面側の位置となるように、ステー４０を介してこれらセンタブーム２６、右サイドブーム２８及び左サイドブーム３０のにそれぞれ取付けられ、複数個のノズル４２が、ノズル管３８ａ，３８ｂ，３８ｃの長手方向へ適宜間隔にノズル管３８ａ，３８ｂ，３８ｃに取付けられている。」と、 
　明細書第１２頁第８行乃至第１２行には「ノズル４２からの薬液の噴霧Ａは・・・噴霧Ａを作物等の被散布物へ搬送する。」と、 
　明細書第１３頁第１行乃至第９行には「第６図はセンタブーム２６の上下動機構の構造図である。油圧シリンダ４８は、上下方向へ延び、上下の端部においてピン４９を介してそれぞれセンタブーム２６の上部構造体５０及びブーム取付用マスト２２に結合している。ステー５２はセンタブーム２６に固定され、ローラ５４は、ステー５２の端部に回動自在に取付けられ、油圧シリンダ４８の伸縮に伴ってブーム取付用マスト２２の側面を転動して、センタブーム２６を上下方向へ案内する。」と、 
　明細書第１９頁第４行乃至第１９行には「薬液及び散布物１２４の散布中、作業者は、自走散布車１０の運転席１４に乗り込み、散布場所において自走散布車１０を所定の速度で走行させる。
　薬液の散布を行なう場合は、薬液を薬液タンク２０からノズル管３８へ圧送する図示しないポンプを駆動させるとともに、薬液用開閉弁２１及びシャッタ１２８をそれぞれ開及び閉とする。・・・薬液タンク２０内の薬液は、ポンプによりノズル管３８ａ，３８ｂ，３８ｃへ送られ、ノズル管３８ａ，３８ｂ，３８ｃのノズル４２から噴霧される。」と、それぞれ記載されている。 
　また、自走散布車の平面図及び正面図である第１図及び第２図、自走散布車の前部に装備されるブームを自走散布車の前方から見た図である第４図には、「車体後部に薬液タンク２０を搭載し、車体前部に車体左右幅と同等あるいはそれよりやや広いセンタブーム２６、及びこのセンタブーム２６の左右に車体内側に向かって回動する右サイドブーム２８及び左サイドブーム３０を設けた自走散布車１０」が記載されている。
　したがって、引用刊行物１には以下の発明が記載されていると認められる。 
　「車体後部に薬液を貯蔵する薬液タンク２０を搭載し、
　車体前部に複数個のノズル４２を有するノズル管３８ａを備え車体左右幅と同等あるいはそれよりやや広いセンタブーム２６と、複数個のノズル４２を有するノズル管３８ｂ，３８ｃを備えセンタブーム２６の右端部及び左端部にそれぞれ配設され左右水平方向へ張り出す水平位置とＸ字状に交差する格納位置とに支点３２において揺動自在な右サイドブーム２８及び左サイドブーム３０とを有し、センタブーム２６を上下動機構を介して上下動自在に支持した自走散布車１０において、
　運転席1４の後ろ側に前記薬液タンク２0を配設すると共に、運転席１４の前側のステアリングホイール１２の下方には薬液の供給量を制御する薬液用開閉弁２１を設け、更に支点３２において揺動させるため右サイドブーム２８及び左サイドブーム３０に対応して設けられる油圧シリンダ３４と、センタブーム２６及び右サイドブーム２８並びに左サイドブーム３０全体を上下動させる油圧シリンダ４８とを設けた、作業者が所定の速度で走行させる自走散布車１０。」（以下「引用刊行物１に記載された発明」という） 
 　 
　特開平３−８００３８号公報（以下、「引用刊行物２」という）の、 
　公報第１頁左下欄第４行乃至第１０行には「２．特許請求の範囲
　車体１の後端部に、薬液を収容しうると共に、搭乗者の操縦席部２ａを形成する薬液タンク２を着脱自在に設け、この薬液タンク２の操縦席部２ａ近傍には、薬液散布に必要な各操作具３，３及び各計器４，４を配設してなる乗用管理機の防除装置。」と、
　公報第２頁左上欄第７行乃至左下欄第５行には「実施例
  なお図例において、前部の左右一対の前輪１０，１０と、後部の左右一対の後輪１１，１１とを有した車体１上の前部に、原動機を内装したボンネット１２を設け、このボンネット１２の後端部には、該前輪１０，１０を操舵するハンドル１３を斜設し、又前記車体１の後端部には、後方に向けて突出する左右一対のロアリング１４，１４を設ける。
　該車体１の前端部から前方に向けて突出する左右一対の支持アーム１５，１５には、薬液を噴射する適宜数のノヅル１６，１６…を有して該車体１のほゞ全幅に等しい長さの中央ブーム１７を支持させ、又該車体１前端の中央部に設けられた枢着部機１８には、先端部を該中央ブーム１７の側端部にほゞ位置させた回動アーム１９を前方水平方向に左右振替回動可能に設け、この回動アーム１９の先端部には、適宜数のノヅル１６，１６…を有した中間ブーム２０を該回動アーム１９に対して上方へ屈折可能に設け、さらにこの中間ブーム２０の先端部には、適宜数のノヅル１６，１６…を有した側部ブーム２１を該中間ブーム２０に対して下方へ屈折可能に設ける。
　又前記車体１後端部からロワリング１４，１４の後端部に亘っては、薬液を収容しうると共に搭乗者の操縦席部２ａを形成する薬液タンク２を固定可能に載置し、この操縦席部２ａの側部に形成されたアームレスト２ｂ上には、前記中央ブーム１７の各ノヅル１６，１６…に連通するホース１７ａ、前記中間ブーム２０の各ノヅル１６，１６…に連通するホース２０ａ及び側部ブーム２１の各ノヅル１６，１６…に連通するホース２１ａへの薬液を各々圧送又は停止操作する各操作具３ａ，３ｂ，３ｃを配設し、さらに前記薬液タンク２後端の下側に設けられた薬液ポンプ２２からの吐出圧を調節する調圧弁３ｄ、この調圧弁３ｄで設定された吐出圧を維持するチヤンバー４ａ及び調圧弁３ｄによる薬液圧を表示する圧力計４ｂ等を配設する。」と、それぞれ記載されている。 
　また、斜面図である第１図には、「操縦席部２ａを囲むように薬液タンク２のアームレスト２ｂを平面視コ字型に形成」したことが記載されている。
　したがって、これらの記載によれば、引用刊行物２には以下の発明が記載されていると認められる。 
　「車体１後端部に薬液を収容する薬液タンク２を搭載し、車体１前端部に適宜数のノヅル１６，１６…を有する該車体１のほゞ全幅に等しい長さの中央ブーム１７、及び屈折可能な中間ブーム２０と側部ブーム２１を設けた乗用防除機において、操縦席部２ａを囲むように前記薬液タンク２のアームレスト２ｂを平面視コ字型に形成すると共に、操縦席部２ａの横側部には薬液を各々圧送又は停止操作する各操作具３ａ，３ｂ，３ｃ及び薬液ポンプ２２からの吐出圧を調節する調圧弁３ｄを配設した乗用防除機。」
　　
　特開平２−２４６８３４号公報（以下、「引用刊行物３」という）の、 
　公報第２頁左下欄第８行乃至第１１行には「第１図乃至第６図は本発明の１例としての乗用田植機をあらわし、この田植機１は動力農機２の後部に作業装置としての田植装置３が装着されている。」と、 
　公報第４頁右上欄第７行乃至左下欄第５行には「動力農機２は以上のように構成されたシャシにボディ１００が被せられている。図中の１０１は座席、１０２は操縦ハンドル、１０３は主変速装置３２を操作する主変速レバー、１０４は副変速装置２４を操作する副変速レバー、１０５は田植装置３の昇降と植付作業の入／切を行なう油圧植付レバー、１０６は後記マーカ操作用のマーカレバーである。
　また、図中の１２０は動力農機の後部に設けられている作業装置装着用の平行リンク装置であって、この平行リンク装置１２０は、背面視門形の枠体１２２と、該枠体に支持されている上リンク１２３および下リンク１２４と、前記上下リンクの後端部に取り付けられ下端部に田植装置が装着される連結枠１２５とから構成され、前記油圧ポンプ３１の後部に設けた油圧シリンダ１２７で上リンク１２３を上下に回動させることにより、連結枠１２５が一定姿勢に保持されたままで上下動させられるようになっている。」と、 
　公報第４頁左下欄第６行乃至右下欄第１２行には「つぎに田植装置３について説明すれば、ＰＴＯ軸１２９を介して伝動される伝動ケース１３０と、・・・とを備え、・・・また、伝動ケース１３０の左右両側部には、・・・走行の目印として圃場面に線引きを行なうマーカ１４０，１４０が設けられている。
　マーカ１４０は線引きを行なうときには側方に倒し、線引きを行なわないときには起立させるが、その操作は前記一対のマーカレバー１０６,１０６で左右各別に行なわれる。第６図に示すように、一対のマーカレバー１０６,１０６は油圧植付レバー１０５を挟んで両側に共通の軸１４２に設けられており、・・・」と、それぞれ記載されている。 
　また、農作業機の１例の平面図である第２図及び説明図である第６図には、「座席１０１前方の操縦ハンドル１０２回動中心に対して左右一側にはマーカレバー１０６,１０６と油圧植付レバー１０５とを設け、これらの左右方向反対側に主変速レバー１０３及び副変速レバー１０４を設けた」ことが記載されている。
　したがって、これらの記載によれば、引用刊行物３には以下の発明が記載されていると認められる。 
　「動力農機２の後部に伝動ケース１３０、及びこの伝動ケース１３０の左右両側部に起倒するマーカ１４０を設けた田植装置３を平行リンク装置１２０を介して上下動自在に装着した乗用田植機において、座席１０１前方の操縦ハンドル１０２回動中心に対して左右一側には圃場面に線引きを行なう左右のマーカ１４０，１４０を左右各別に起倒させる一対のマーカレバー１０６,１０６を田植装置３全体を昇降させる油圧植付レバー１０５を挟んで両側に設け、これらの左右方向反対側に主変速レバー１０３及び副変速レバー１０４を設けた乗用田植機。」　
　　　
第４．対比・検討　
　本願発明と引用刊行物１に記載された発明とを比較する。
　引用刊行物１に記載された発明の「複数個のノズル４２」は本願発明の「複数の噴霧ノズル（３４，３４…）」に相当し、以下同様に、「ノズル管３８ａ」は「センター噴霧管（３５）」に、「センタブーム２６」は「センター噴霧機枠（２７）」に、「ノズル管３８ｂ，３８ｃ」は「サイド噴霧管（４８，４８）」に、「支点３２」は「軸芯（４１）」に、「右サイドブーム２８及び左サイドブーム３０」は「サイド噴霧機枠（３９）」に、「上下動自在」は「昇降自在」に、「自走散布車１０」は「散布作業車」に、「運転席1４」は「操縦座席（６）」に、「薬液用開閉弁２１」は「噴霧調節操作部（２１）」に、それぞれ相当する。そして、引用刊行物１に記載された発明の「ノズル管３８ａを備えたセンタブーム２６と、ノズル管３８ｂ，３８ｃを備えた右サイドブーム２８及び左サイドブーム３０」で構成される装置は「ノズル管３８ａ，３８ｂ，３８ｃのノズル４２から噴霧される」ものであるから「噴霧装置」を構成することは技術常識からみて明らかである。また、「センタブーム２６、右サイドブーム２８及び左サイドブーム３０にノズル管３８ａ，３８ｂ，３８ｃがそれぞれ取付けられ」る旨の記載、及び、「左右水平方向へ張り出す水平位置」で「噴霧作業」を行うことは技術常識であることを考慮すると、引用刊行物１に記載された発明の「センタブーム２６の右端部及び左端部にそれぞれ配設され左右水平方向へ張り出す水平位置とＸ字状に交差する格納位置とに支点３２において揺動自在な右サイドブーム２８及び左サイドブーム３０」という技術事項は、本願発明の「サイド噴霧管（４８，４８）がセンター噴霧管（３５）の左右両端部に延ばした幅広噴霧作業状態と車体側に近付けた幅狭収納状態とに切換可能に軸芯（４１）回りで回動可能なサイド噴霧機枠（３９，３９）」という技術事項に相当する。さらに、引用刊行物１に記載された発明の「薬液を貯蔵する薬液タンク２０」は本願発明の「潅水用あるいは消毒用の液体を収容するタンク（２２）」と比較して、「液体を収容するタンク」において一致し、以下同様に「上下動機構」は「リンク機構」と比較して、「昇降機構」において一致するから、両者の一致点及び相違点は次の通りである。 
 　 
 　一致点 
 　車体後部に液体を収容するタンクを搭載し、車体前部に複数の噴霧ノズルを有するセンター噴霧管を備え車体左右幅と同等あるいはそれよりやや広いセンター噴霧機枠、及び複数の噴霧ノズルを有するサイド噴霧管を備え該サイド噴霧管が上記センター噴霧管の左右両端部に延ばした幅広噴霧作業状態と車体側に近付けた幅狭収納状態とに切換可能に軸芯回りで回動可能なサイド噴霧機枠を有する噴霧装置を昇降機構を介して昇降自在に支持した散布作業車において、操縦座席の近傍に前記タンクを形成すると共に、操縦座席の近傍には噴霧調節操作部を設け、サイド噴霧機枠を回動させる部材と噴霧装置全体を昇降させる部材を設けた散布作業車。
　 
　相違点 
　（Ａ）タンクに収容する液体が、本願発明では潅水用あるいは消毒用の液体であるのに対し、引用刊行物１に記載された発明では薬液である点 
　（Ｂ）本願発明では、サイド噴霧管が略一直線状に延ばした状態と車体側後方に近付けた状態とに切換可能に、サイド噴霧機枠が傾斜軸芯回りで回動可能であるのに対し、引用刊行物１に記載された発明ではそのような構成を有するかどうか不明である点
　（Ｃ）昇降機構が、本願発明ではリンク機構であるのに対し、引用刊行物１に記載された発明ではそのような構成を有していない点
　（Ｄ）タンクを、本願発明では操縦座席を囲むように平面視コ字型に形成したのに対し、引用刊行物１に記載された発明ではそのような構成を有するかどうか不明である点 
　（Ｅ）噴霧調節操作部を、本願発明では操縦座席の横側部に設けたのに対し、引用刊行物１に記載された発明ではそのような構成を有していない点
　（Ｆ）本願発明では、操縦座席前方のハンドルの横側方であって噴霧調節操作部を有する側にサイド噴霧機枠を回動すべく並べて設けられるスイッチとリンク機構を昇降させるスイッチを左右方向の同じ側に接近させて設け、これらのスイッチと左右方向反対側に散布作業車の走行速度を変更する変速操作具を設けたのに対し、引用刊行物１に記載された発明ではそのような構成を有するかどうか不明である点 
　 　 
　そこで、上記相違点について検討する。 
　相違点（Ａ）について 
　潅水用あるいは消毒用の液体をタンクに収容し噴霧することは、農業の分野においては通常行われていることであり、タンクに潅水用あるいは消毒用の液体を収容することは、当業者が容易になし得ることである。 
　相違点（Ｂ）について
　車体後部の傾斜軸芯回りで回動させて略一直線状に延ばした状態と車体側前方に近付けた状態とに切換可能とすることは、例えば、特公昭５６−３５５１４号公報に記載された「回転軸４」及び「第１スプレーブーム３」（公報第２頁第４欄第２４行乃至第３４行、公報第３頁第５欄第２４行乃至第３０行、公報第３頁第６欄第１８行乃至第２３行、第２図及び第５図参照）、実公昭５８−４９８１５号公報に記載された「連結ピン５２」及び「元ブーム１」（公報第２頁第３欄第２２行乃至第２５行、公報第３頁第６欄第４１行乃至第４頁第７欄第３行、公報第４頁第７欄第１４行乃至第１５行、第２図及び第７図参照）、実願昭５９−２３２８０号（実開昭６０−１３６７７０号）のマイクロフィルムに記載された「斜め枢支軸（１６）」及び「ブーム（３）」（明細書第４頁第１２行乃至第１５行、第６頁第１６行乃至第２０行、第１図及び第４図参照）に示されているように周知・慣用の技術である。また、農用作業機を走行車体の前後に対してどの位置に設けるかは、適宜採用できる設計上の事項であるから、引用刊行物１に記載された発明の「車体前部に設けられたサイド噴霧機枠（右サイドブーム２８及び左サイドブーム３０）」に当該周知・慣用の技術を適用し、相違点（Ｂ）に係る構成とすることは、当業者が容易になし得ることである。
　相違点（Ｃ）について
　リンク機構を介して作業機を支持することは、例えば、特開昭５８−６２２２７号公報に記載された「平行リンク（４２）（４２）」及び「ドーザ（３９）」（公報第２頁左下欄第７行乃至第９行、第６図及び第７図参照）、実公昭５９−３３２３０号公報に記載された「リンク対０２，０２」及び「対地作業装置０３」（公報第１頁第２欄第６行乃至第８行、及び同第１５行乃至第１６行、第３図及び第４図参照）、実公昭６３−４６３０４号公報に記載された「上部リンク２２，２２及び下部リンク２３，２３」及び「作業機装着用のヒツチ金具２０」（公報第２頁第３欄第７行乃至第１１行、第１図参照）に示されているように周知・慣用の技術であるから、引用刊行物１に記載された発明の支持手段に当該周知・慣用の技術を適用し、相違点（Ｃ）に係る構成とすることは、当業者が容易になし得ることである。
　相違点（Ｄ）について
　引用刊行物２には、操縦座席（操縦席部２ａ）を囲むようにタンク（薬液タンク２のアームレスト２ｂ）を平面視コ字型に形成したことが記載されているから、当該記載に基づいて、相違点（Ｄ）に係る構成とすることは、当業者が容易になし得ることである。
　相違点（Ｅ）について
　引用刊行物２には、操縦座席（操縦席部２ａ）の横側部に噴霧調節操作部（各操作具３ａ，３ｂ，３ｃ及び調圧弁３ｄ）を設けたことが記載されているから、当該記載に基づいて、相違点（Ｅ）に係る構成とすることは、当業者が容易になし得ることである。
　相違点（Ｆ）について
　引用刊行物３には、操縦座席（座席１０１）前方のハンドル回動中心に対して左右一側には部材を回動（起倒）させるスイッチ（一対のマーカレバー１０６,１０６）と装置（田植装置３）全体を昇降させるスイッチ（油圧植付レバー１０５）を同じ側に接近させて（挟んで）設け、これらのスイッチと左右方向反対側に変速操作具（主変速レバー１０３及び副変速レバー１０４）を設けたことが記載されている。また、操縦者が操作する部材を車体に対して、どのように配置するかは、操作性を考慮して当業者が適宜なし得る設計上の事項であるから、引用刊行物１に記載された発明に当該技術を適用する際に、他の操作部材との位置関係を限定して、相違点（Ｆ）に係る構成とすることは、当業者が容易になし得ることである。 
　 
　そして、引用刊行物１乃至３に記載された発明は、作業装置を備えた乗用の走行車輌において共通しているから、これらの技術を寄せ集め、本願発明に記載された構成とすることは、当業者にとって容易である。 
　また、効果の点においても、上記の引用刊行物１乃至３に記載されたものと比較して格別の効果を奏するものとは認められない。 
 　　 
　よって、本願発明は、引用刊行物１乃至３に記載された発明及び周知・慣用の技術に基づいて当業者が容易に発明をすることができたものである。 
　　
第５．むすび
　以上のとおり、本願発明は、当審で通知した拒絶の理由に示された上記引用刊行物１乃至３に記載された発明及び周知・慣用技術に基づいて当業者が容易に発明をすることができたものであるから、本願は、特許法第２９条第２項の規定により、特許を受けることができない。
　
　よって、結論のとおり審決する。